(57)【要約】      （修正有）【課題】装飾体の回転を防止し、装飾体が箸本体の頭部に安定する。【解決手段】箸本体７の頂面に孔８を設け、孔８の開口縁に載置でき、かつ、下方が孔８内に挿入できる凸部９ａを形成し、その凸部９ａに水平方向に貫通孔１０を設けた装飾体９の、貫通孔８に釘または針金１２を挿通し、該釘または針金１２の両端部を貫通孔１０より突出させ、その両端部を曲げて垂下させ、更に、その両端部の先端部を互いに対向する方向に曲げ、箸本体７の孔８に乾燥して固化するゾル状の接着剤または塗料を注入し、その中へ前記釘または針金１２の両端部と装飾体９の下方の凸部9aを挿入し、装飾体９を孔８の開口縁に載置し、前記接着剤または塗料を乾燥固化させる。【選択図】図２
0003111909.tif 000002
【実用新案登録請求の範囲】
【請求項１】
箸本体の頂面に孔を設け、
前記箸本体の孔の開口縁に載置でき、かつ、下方が前記孔内に挿入できる凸部を形成し、その凸部に水平方向に貫通孔を設けた装飾体の、
前記装飾体の貫通孔に釘を挿通し、該釘の両端部を前記貫通孔より突出させ、その両端部を曲げて垂下させ、
前記箸本体の孔に乾燥して固化するゾル状の接着剤または塗料を注入し、その中へ前記釘の両端部と前記装飾体の下方の凸部を挿入し、装飾体を箸本体の孔の開口縁に載置し、前記接着剤または塗料を乾燥固化させてなる、
頭部頂面に装飾体を取付けた箸。
【請求項２】
箸本体の頂面に孔を設け、
前記箸本体の孔の開口縁に載置でき、かつ、下方が前記孔内に挿入できる凸部を形成し、その凸部に水平方向に貫通孔を設けた装飾体の、
前記装飾体の貫通孔に釘または針金を挿通し、該釘または針金の両端部を前記貫通孔より突出させ、その両端部を曲げて垂下させ、更に、その両端部の先端部を互いに対向する方向に曲げ、
前記箸本体の孔に乾燥して固化するゾル状の接着剤または塗料を注入し、その中へ前記釘または針金の両端部と前記装飾体の下方の凸部を挿入し、装飾体を箸本体の孔の開口縁に載置し、前記接着剤または塗料を乾燥固化させてなる、
頭部頂面に装飾体を取付けた箸。
【請求項３】
箸本体の頂面に孔を設け、
前記箸本体の孔の開口縁に載置でき、かつ、垂直方向に貫通孔を設けた装飾体の、
前記装飾体の貫通孔に釘を上方から挿通し、その頭を前記貫通孔の上方開口縁に当接させ、該釘の先端部を前記貫通孔の下方開口からより突出させ、その先端を曲げ、
前記箸本体の孔に乾燥して固化するゾル状の接着剤または塗料を注入し、その中へ前記釘の先端部を挿入し、装飾体を箸本体の孔の開口縁に載置し、装飾体の下方の表面を前記接着剤または塗料に当接させ、前記接着剤または塗料を乾燥固化させてなる、
頭部頂面に装飾体を取付けた箸。
【考案の詳細な説明】
【技術分野】
【０００１】
この考案は、箸本体の頭部の頂面に装飾体を外れにくく固着した箸に関するものである。
【背景技術】
【０００２】
従来、特許文献１に記載のように、頭部に装飾体を着脱自在に取付け、その装飾体を取り替えられるようにした箸がある。この箸の装飾体の取付けは、箸本体の頂面にネジ棒を設け、装飾体の下面に、前記装飾体のネジ棒を螺合できる孔を設けるか、または、その反対に、頂面に螺孔を設け、装飾体にネジ棒を設け、それらネジ棒を孔に螺合することにより行っている。
【０００３】
また、特許文献１には、箸本体の頂面に凸部を設け、装飾体に前記凸部を嵌合できる凹部を設け、前記凸部を凹部に嵌合させ、接着剤で固着させた装飾体付箸が記載されている。
【特許文献１】特開２０００−２０１７９２号公報（請求項１、２および０００６、０００７、        請求項５および００１１、００３３、図１、２、８）
【０００４】
また、本願の図４に示すように、球状の装飾体１の中心に、木または竹製の釘２を嵌挿できる貫通孔３を設け、箸本体４の頂面に球面状の凹部５を設け、凹部５の中心に箸本体４の下端方向に釘２を嵌挿できる細い孔６を設け、箸本体４の凹部５の面および釘２に接着剤を塗布し、装飾体１の貫通孔３に上方から釘２を嵌挿し、貫通孔３の下方開口から突出した釘２の先端部を箸本体４の孔６に嵌挿して、装飾体１の下面を箸本体４の凹部５の面に当接させ、装飾体１を箸本体４の頭部に固定している箸が記載されている。
【考案の開示】
【考案が解決しようとする課題】
【０００５】
従来の前記着脱自在に装飾体を取付けた箸は、ネジ棒をネジ孔に螺合するので、ネジ棒を回して装飾体の着脱を繰り返すと、ネジ孔またはネジ棒がバカになってネジ棒が抜け易くなり、装飾体が安定せず、外れ易くなる。
【０００６】
前記凸部と凹部を嵌合して装飾体を固着した箸は、凸部または凹部に接着剤を塗布して接着固定するのであるが、凸部と凹部は嵌合する構造であるので、塗布された接着剤の層は非常に薄く、装飾体に外力が加わることが度重なると、接着剤が剥離して装飾体が外れ易くなる。なお、特許文献１に記載の実施例では、凸部をコイルバネとし、コイルバネの弾力で装飾体を揺れ動くようにしているので、この揺動で接着効果がなくなり、コイルバネが凹部から抜け易くなる。
【０００７】
本願の図４に示すような装飾体を釘で箸本体の頂面に固着した箸も、接着の層が薄く、装飾体に外力が加わることが度重なると装飾体が動き、接着効果が無くなって釘が箸本体の孔から抜け易くなる。更に、釘が木製や竹製の場合には、外力が装飾体に加わることが度重なると装飾体が動き、装飾体の貫通孔の下方開口付近で釘が折れて装飾体が脱落するおそれがある。
【課題を解決するための手段】
【０００８】
箸本体の頂面に孔を設け、
前記箸本体の孔の開口縁に載置でき、かつ、下方が前記孔内に挿入できる凸部を形成し、その凸部に水平方向に貫通孔を設けた装飾体の、
前記装飾体の貫通孔に釘を挿通し、該釘の両端部を前記貫通孔より突出させ、その両端部を曲げて垂下させ、
前記箸本体の孔に乾燥して固化するゾル状の接着剤または塗料を注入し、その中へ前記釘の両端部と前記装飾体の下方の凸部を挿入し、装飾体を箸本体の孔の開口縁に載置し、前記接着剤または塗料を乾燥固化させて、箸本体の頭部頂面に装飾体を取付ける。
【０００９】
箸本体の頂面に孔を設け、
前記箸本体の孔の開口縁に載置でき、かつ、下方が前記孔内に挿入できる凸部を形成し、その凸部に水平方向に貫通孔を設けた装飾体の、
前記装飾体の貫通孔に釘または針金を挿通し、該釘または針金の両端部を前記貫通孔より突出させ、その両端部を曲げて垂下させ、更に、その両端部の先端部を互いに対向する方向に曲げ、
前記箸本体の孔に乾燥して固化するゾル状の接着剤または塗料を注入し、その中へ前記釘または針金の両端部と前記装飾体の下方の凸部を挿入し、装飾体を箸本体の孔の開口縁に載置し、前記接着剤または塗料を乾燥固化させて、箸本体の頭部頂面に装飾体を取付ける。
【００１０】
箸本体の頂面に孔を設け、
前記箸本体の孔の開口縁に載置でき、かつ、垂直方向に貫通孔を設けた装飾体の、
前記装飾体の貫通孔に釘を上方から挿通し、その頭を前記貫通孔の上方開口縁に当接させ、該釘の先端部を前記貫通孔の。下方開口から突出させ、その先端を曲げ、
前記箸本体の孔に乾燥して固化するゾル状の接着剤または塗料を注入し、その中へ前記釘の先端部を挿入し、装飾体を箸本体の孔の開口縁に載置し、装飾体の下方の表面を前記接着剤または塗料に当接させ、前記接着剤または塗料を乾燥固化させて、箸本体の頭部頂面に装飾体を取付ける。
【考案の効果】
【００１１】
この考案に係る頭部頂面に装飾体を取付けた箸で、装飾体の凸部の水平方向の貫通孔に挿通した釘の両端部を前記貫通孔より突出させ、それらの両端部を曲げて垂下させ、箸本体の孔に注入固化した接着剤の中に位置させたものは、釘の頭部が抜け止めとなり、垂下する両端部が装飾体の回転を防止し、装飾体が箸本体の頭部に安定する。
装飾体の貫通孔に挿通した釘または針金の両端部を前記貫通孔より突出させ、それらの両端部を曲げて垂下させ、更に、それらの両端部の先端部を対向する方向に曲げ、箸本体の孔に注入固化した接着剤の中に位置させたものは、垂下する先端部が抜け止めとなり、また、装飾体の回転を防止し、装飾体が箸本体の頭部に安定する。
また、装飾体の上下方向に貫通孔を設け、その貫通孔の上方の開口から釘を挿通し、釘の下部を下方開口から突出させて、その突出部の先端部を曲げて、釘の下部を箸本体の孔に注入固化した接着剤の中に位置させたものは、垂下する先端部が抜け止めとなり、また、装飾体の回転を防止し、装飾体が箸本体の頭部に安定する。
【考案を実施するための最良の形態】
【００１２】
箸本体７の頂面に開口する有底の孔８を設ける。孔８の径は、孔８の縁部の強度が損なわれない程度で、出来るだけ大きくする。孔８の開口縁の内側角を削って傾斜面とするのが好ましい。
箸本体７の材料は限定せず、木、竹、プラスチック、金属等のいずれでもよい。
【００１３】
装飾体９は、箸本体７の孔８の開口縁に下部の周面が当接した場合に、その当接位置より下方が箸本体７の孔８内に入る凸部９ａがある。
装飾体９の上方の形状は限定せず、規則的な立体形状や、人、動物、花、車等の形状や、不規則的な立体形状のものであってもよい。
装飾体９の材料は、限定せず、木、竹、プラスチック、金属等のいずれでもよい。
【００１４】
装飾体９の凸部９ａに、水平方向に貫通孔１０を設ける。貫通孔１０は、装飾体９を箸本体７の孔８の上方開口縁に載置したときに孔８内に突入し、箸本体の長手方向に対して実質的に直角となるようにする。
【００１５】
装飾体９の貫通孔１０に屈折可能な金属製の釘１１を挿入し、釘１１の中間部を貫通孔１０内に位置させ、釘１１の上部と下部を下方へ曲げる。更に、図１に示すように釘１１の頭部１１ａと先端部を互いに対向する方向に曲げるのが好ましい。
【００１６】
箸本体７の孔８内に、乾燥して固化するゾル状の接着剤（塗料を含む）を注入し、その中へ、装飾体９に取付けた釘１１の上部と下部を垂下させて入れ、かつ、装飾体９の凸部９ａを挿入し、装飾体９を箸本体７の孔８の開口縁に載置する。孔８の開口縁の内側の角を削ってある場合には、削ってない場合に比べて装飾体９が一層安定する。
【００１７】
接着剤は、孔８の周壁および底面と装飾体９の凸部部９ａの周面に接着して固化する。そして、固化した接着剤の中に釘１１の上下部分が埋まっているので、装飾体９に何等かの外力が加わっても揺らぎにくく、装飾体は回転しない。また、釘１１の頭部１１ａ自体や、釘１１の頭部１１ａと先端部が対向方向に曲げられている場合には、その曲げ部分が抜け止めとなり、装飾体９が箸本体７から外れにくい。箸本体７が木製である場合、更には装飾体９も木製である場合には、接着剤が木に滲み込んで、固化した接着剤と箸本体７、および装飾体９が強固に接着固定する。
【００１８】
図２に示すものは、釘１１の代わりに針金１２を用いて装飾体９を箸本体７に取付けた箸である。
すなわち、装飾体９の凸部９ａの貫通孔１０に針金１２を挿通し、その両端を貫通孔の両開口より突出させ、その突出した両端部を下方へ曲げ、更に、それらの先端部を対向する方向に曲げる。その両先端部を交叉させるのが好ましい。
上記の曲げまたは交叉の状態は限定しないが、できるだけ複雑な形状にするのが好ましい。
【００１９】
図１に示す実施例の場合と同様に、孔８に接着剤を注入し、その中へ装飾体９に取付け垂下した針金１２と凸部９ａを挿入し、装飾体９のを孔８の開口縁に載置し、接着剤を乾燥固化させる。固化した接着剤は、箸本体７と装飾体９の凸部９ａとに接着し、針金１２が曲がって接着剤の中にあって、抜け止めとなる。
【００２０】
図３は別の実施例を示す。
装飾体１３は、中心を通る垂直の貫通孔１４を設け、貫通孔１４の上方から釘１５を挿通し、釘１５の頭１５ａを貫通孔１４の上方開口の縁部に当接させ、貫通孔１４の下方開口から釘１５の先端部を突出させ、突出した先端部の一部を曲げる。曲げる形状は限定しない。
【００２１】
装飾体１３は、、図３においては、形状が球状であるが、形状は限定せず、規則的な立体形状や、人、動物、花、車等の形状や、不規則的な立体形状のものであってもよい。ただし、装飾体１３を箸本体７の孔の開口に載置したときに、装飾体１３の下端部が少しでも孔８内に入る形状が好ましい。
【００２２】
箸本体７の孔８内に接着剤を注入し、その中へ釘１５の先端部を挿入し、装飾体１３を箸本体７の孔８の開口縁に載置する。
接着剤を乾燥させると、接着剤は箸本体７と装飾体１５の下部面とに接着して固化する。そして、、固化した接着剤の中に釘１５の先端が曲がった状況で埋まって抜け止めとなる。
【００２３】
前記いずれの実施の形態も、装飾体９、１３に色彩や模様を施してもよく、装飾体９、１３を透明、半透明または不透明のいずれの材料を用いてもよく、透明または半透明の材料の場合には、、ビーズ玉、ドライフラワー、その他の小物体を内包させてもよい。
【００２４】
前記いずれの実施の形態においても、孔８に接着剤を注入する場合には、孔８の縁部に載置した装飾体の下面に接着剤が当接する量を注入するものとする。もし、接着剤が装飾体の下面から外部にはみ出た場合には、はみ出た接着剤を除去する。
【図面の簡単な説明】
【００２５】
【図１】箸本体の頭部に装飾体を取付けた状態の要部断面図である。
【図２】他の実施の形態の、箸本体の頭部に装飾体を取付けた状態の要部断面図である。
【図３】他の実施の形態の、箸本体の頭部に装飾体を取付けた状態の要部断面図である。
【図４】従来の箸の箸本体の頭部に装飾体を取付けた状態の要部断面図である。
【符号の説明】
【００２６】
１  箸本体
２  凹部
３  孔
４  貫通孔
５  装飾体
６  釘
７  箸本体
８  孔
９  装飾体
９ａ  凸部
１０  貫通孔
１１  釘
１１ａ  頭
１２  針金
１３  装飾体
１４  貫通孔
１５  釘
【図１】
0003111909.tif 000003
【図２】
0003111909.tif 000004
【図３】
0003111909.tif 000005
【図４】
0003111909.tif 000006